(57)【要約】　　　（修正有）【課題】飲料中の嗜好食品の果肉を破砕容易にしたマドラーを提供する。【解決手段】適宜長さの棒状に形成したマドラーにおいて、マドラー本体１の一端側に該マドラー本体の端面より窪ませた凹み部８を形成した。また、前記凹み部８はマドラー本体１の長手方向の中心軸Ｙ上に頂部７を有し前記端面から先すぼみ状に窪ませて形成した。【選択図】　　図２
0003099123.tif 000002
【実用新案登録請求の範囲】
【請求項１】
適宜長さの棒状に形成したマドラーにおいて、マドラー本体の一端側に該マドラー本体の端面より窪ませた凹み部を形成したことを特徴とするマドラー。
【請求項２】
前記凹み部は、マドラー本体の長手方向の中心軸上に頂部を有し、前記端面から先すぼみ状に窪ませて形成されていることを特徴と請求項１記載のマドラー。
【請求項３】
前記凹み部は、マドラー本体の下端面外周縁の一方から相対向する外周縁間を該下端面と略並行に窪ませて刻設したことを特徴と請求項１記載のマドラー。
【請求項４】
前記凹み部は、マドラー本体の下端面に対して着脱自在に被着したアダプターの一端に形成されていることを特徴とする請求項２又は３記載のマドラー。
【考案の詳細な説明】
【技術分野】
【０００１】　本考案は、コップ等の飲料容器中の飲料に氷や嗜好食品などを入れて混合・撹拌する撹拌棒たるマドラーに関する。
【背景技術】
【０００２】　従来、この種のマドラーとしては、その大きさや形状・色彩等多種多様なものが使用されているが、いずれも所定寸法に形成した棒材の上方に把持部を形成し、該棒材下端には撹拌効果を促すように平板状又はコイル状に巻いた撹拌部を設けた単純構造のものが多く用いられている。この種のものとして実公平２−３７４２１号公報及び実開平６−７５６９号公報ならびに実用新案登録第３０３１３５４号公報に示すマドラーが公知である。　これらのマドラーは、金属又は合成樹脂などの各種の材料によって形成されると共に、何れも単に飲用する容器内に入れた飲料水を掻き混ぜることのみを目的としたものが多く、飲用に際しては、例えば酒類、とりわけ焼酎或いはウイスキー中に梅干や柑橘類などを入れて更に深みのある味をたしなみながら飲用することも多々行なわれている。
【考案の開示】
【考案が解決しようとする課題】
【０００３】　従来のマドラーにあっては、把持部から伸長する撹拌部の形状は、略直線状の棒の先端に平板状もしくは略丸みのある撹拌片を設けコップなどの飲料容器内の飲料を好適に撹拌できるよう構成されているが、単に撹拌効果を高めることのみに重点が置かれているためその先端部の構造は意匠的に相違する以外は機能的に大差ないのが実態である。例えば、飲料中に梅干や柑橘類などの嗜好食品を入れて更なる深みのある味をたしなもうとするとき、前記梅干や柑橘類の果肉までをさらに砕き飲料全体に撹拌しようとすると前記撹拌部が平坦だったり丸みを帯びていたりしているため素早くその表皮を切り裂き中の果肉を砕き切るのが難しく、該嗜好食品の破砕兼撹拌用としては不向きである。【０００４】　そのため、本考案は上記問題点を解消し焼酎或いはウイスキーなどの飲用に際し梅割りやレモン割りなどの嗜好飲料としてたしなむ際に入れた嗜好食品の表皮ならびに果肉を容易に砕き切って撹拌することによってさらに深みのある嗜好飲料を楽しめるマドラーを提供することを目的とする。
【課題を解決するための手段】
【０００５】　上記目的を達成するために本考案は、適宜長さの棒状に形成したマドラーにおいて、マドラー本体の一端側に該マドラー本体の端面より窪ませた凹み部を形成したことを特徴とする。【０００６】　また、前記凹み部は、マドラー本体の長手方向の中心軸上に頂部を有し、前記端面から先すぼみ状に窪ませて形成するとよい。【０００７】　さらに、前記凹み部は、マドラー本体の下端面外周縁の一方から相対向する外周縁間を該下端面と略並行に窪ませて刻設してもよい。さらにまた、前記凹み部は、マドラー本体の下端面に対して着脱自在に被着したアダプターの一端に形成することもできる。【０００８】　上記構造によれば、マドラー下端に形成した凹み部によって飲料中の嗜好食品を突き刺し、その後マドラー下端面の凹み部周縁に形成された薄肉縁によって嗜好食品の表皮ならびに果肉部を容易に切り裂くことができる。
【考案の効果】
【０００９】　本考案は、適宜長さの棒状に形成したマドラーにおいてマドラー本体の一端側に該マドラー本体の端面より窪ませた凹み部を形成したことにより、嗜好飲料中に入れた嗜好食品（梅干やレモン等）の果肉を容易に突き刺し切り裂き砕くことができ、これを撹拌することにより更なる深みのある嗜好飲料（梅割りやレモン割り等）を楽しむことができる。【００１０】　また、マドラー先端部は略棒状で凹み部内周面も滑らかな先すぼみ状に形成されているため、例えば表面が丸みを帯びた形状の嗜好食品の表皮を包み込むように程よく当接するため、突刺しも容易でかつ該嗜好食品の食品垢等も付着することがなく衛生的である。
【考案を実施するための最良の形態】
【実施例１】
【００１１】　以下、本考案の第１実施例を図１ないし図３により説明する。マドラー本体１は、金属もしくは合成樹脂製で略円柱状に伸長した棒状に形成されており、把持部２となる上方の一端には識別用の複数の化粧溝３が刻まれ、その上方端面４は略半円球に形成されている。【００１２】　一方、マドラー本体の下端面５は、撹拌部として使用するもので、この端面には該端面を底辺としマドラー本体の長手方向の中心軸Ｙ上に頂部７を有する先すぼみ状の凹み部８が窪ませて形成されている。【００１３】　この、先すぼみ状の凹み部８の底辺９の直径ｄはマドラー本体１下端面５の直径Ｄよりもやや小径に形成され、前記下端面周縁は若干の幅をもった薄肉縁９Ａとして形成されており、ここで梅干やレモンなどの嗜好食品１０の果肉１０Ａを押し付け又は突き刺すことによりその表皮や果肉を砕き切る際の刃部として作用する（図２）。さらに、前記凹み部８の頂部７はやや丸みをもたせて滑らかに窪ませて形成されている。【００１４】　本考案は以上の如く形成されており、次いでその作用について説明する。まず、使用に際しては従来と同様に撹拌部となるマドラー下端面５をコップ等の飲料容器１２内に差し入れて、把持部２を持って掻き回すこととなるが、酒類・とりわけ焼酎やウイスキーなどの嗜好飲料１３中に入れた梅干やレモンなどの嗜好食品の表皮をその下端面５周縁の薄肉縁９Ａに押し当て表皮を押し付けながら飲料容器１２の内周面間で挟むようにして果肉１０Ａを突き刺すと共に、その表皮を擦りながら果肉をそぎ落としたり砕き切ったり或いは必要により小さく切り裂きながら掻き回すことにより飲料全体に前記果肉の破砕片が拡散される（図３）。【００１５】　また、この際前記嗜好食品が例えば梅干やレモンのように表皮が丸みを帯びた食品であった場合でも凹み部８の内周面が前記嗜好食品の表皮を程よく包み込むように当接し押えつけることができ該食品の突き刺しを容易にする。【００１６】　このようにして梅割りやレモン割り等の飲用に際しさらに深みのある味を引き出して飲用を楽しむことができる。また、必要により氷などを入れたロックで飲用する場合でも同様の方法で容易に氷を砕くこともできる。
【実施例２】
【００１７】　図４は本考案の第２実施例を示しており、マドラー本体下端面５に刻設した凹み部８を該端面に沿った略並行の溝状に形成したものである。以下、実施例１で説明したと同じ部位は同一符号を用いて説明する。【００１８】　マドラー本体１の下端面５には該端面から所定寸法（概ね２から１０ｍｍ）の深さで該端面と略並行に凹み溝２０が窪ませて刻設されている。この凹み溝２０は、マドラー下端面５の略中央部に刻設され所定の幅寸法Ｗでその外周縁の一方から相対向する外周縁間を貫いて刻設している。そして、その頂部２１も前記幅寸法Ｗと等しいかもしくはやや狭まった幅寸法Ｗ２で形成され、各角部はやや丸みのある滑らかな輪郭線で形成されている。【００１９】　本実施例２は以上のように成り、これにより例えば嗜好飲料中に入れた嗜好食品を砕き切るときには、マドラー下端面周縁と凹み溝周縁とで突き刺しながら前記嗜好食品を砕き切りその果肉を飲料全体に拡散させる。【００２０】　なお、前記凹み溝２０の形状は単に一定幅の溝に限らず前記下端面５から先すぼみ状に形成する他、その頂部７Ａにやや丸みを持たせたり略Ｖ字状に形成するなど、各種の形態で刻設したりしてもよいことは言うまでもない。
【実施例３】
【００２１】　図５は本考案の第３実施例を示しており、マドラー本体下方に該マドラー本体と別体で形成した着脱自在なアダプターを設け該アダプターの一端（下端）に凹み部を形成したものである。以下、実施例１で説明したと同じ部位は同一符号を用いて説明する。【００２２】　マドラー本体１下方の接合部２５には螺号ねじ２６が穿設してあり、ここにアダブター２７が羅合・被着している。そして、このアダブター下端面２８には実施例１で説明したと同様の凹み部８が窪ませて形成されている。この凹み部の形状ならびに寸法は実施例１で説明したと同じであるので以下詳細説明を省略する。【００２３】　本実施例３は以上の構成により成り、使用に際しては前記アダブター２７下端面の凹み部形状を実施例１もしくは実施例２で説明した形態のほか各種形態のものを用意しておき、飲料中に入れた嗜好食品の種類に応じて適宜選択し交換することによりより好適に嗜好飲料を楽しむことができる。【００２４】　以上、本考案の実施例を説明したが、本考案は前述各実施例に限定されるものではなく、本考案の要旨の範囲内において種々の変形実施が可能である。例えば、マドラー本体３又はアダブター２７は金属または合成樹脂他発泡材料、木材またはゴム材料その他の材料で成形してもよく、またマドラー下方に設けたアダブター２７の被着構造も羅合ねじに限らず差込構造その他の被着構造など着脱自在な構造であればいかなる構造であってもよい。さらにマドラー本体１の形状も単に直線的な棒状に限らず屈曲させたり花又は山形状にするなどの各種形態に形成したりするなどその形状には特に限定されない。
【図面の簡単な説明】
【図１】　本考案マドラー本体の斜視図である。
【図２】　図１に示したマドラー下端面の詳細図である。
【図３】　マドラーの使用状態を示す説明図である
【図４】　実施例２の詳細図である
【図５】　実施例３の詳細図である。
【符号の説明】
　１　マドラー本体
　２　把持部
　３　化粧溝
　５　下端面
　８　凹み部
　７　頂部
　９Ａ　薄肉縁
１０　嗜好食品
１０Ａ　果肉
１２　飲料容器
１３　嗜好飲料
【図１】
0003099123.tif 000003
【図２】
0003099123.tif 000004
【図３】
0003099123.tif 000005
【図４】
0003099123.tif 000006
【図５】
0003099123.tif 000007